【手続補正書】
【提出日】平成16年12月1日(2004.12.1)
【手続補正１】
【補正対象書類名】明細書
【補正対象項目名】発明の名称
【補正方法】変更
【補正の内容】
【発明の名称】Ｄ／Ａ変換方法、Ｄ／Ａ変換回路、並びにＤ／Ａ変換回路を有する半導体装置、表示装置及び電子機器
【手続補正２】
【補正対象書類名】明細書
【補正対象項目名】特許請求の範囲
【補正方法】変更
【補正の内容】
【特許請求の範囲】
【請求項１】
ｎビットのデジタル信号（ｎは自然数）をアナログ信号に変換する方法であって、
並列に接続されたｍ個（ｍはｎより小さい自然数）の容量が用いられ、
プリチャージ期間において、前記ｎビットのデジタル信号のうち、上位ｎ−ｍビットのデジタル信号によって、前記ｍ個の容量における電荷の充電が制御され、
書き込み期間において、前記ｎビットのデジタル信号のうち、下位ｍビットのデジタル信号によって、前記ｍ個の容量における電荷の充電が制御され、
前記プリチャージ期間と前記書き込み期間が交互にあり、前記ｍ個の容量の一方の電極の電圧がアナログ信号として出力されることを特徴とするＤ／Ａ変換方法。
【請求項２】
請求項１において、
プリチャージ期間において、充電するために前記ｍ個の容量に入力される信号は、直列接続された２n-m個の抵抗を有する抵抗分割型のＤ／Ａ回路により生成されることを特徴とするＤ／Ａ変換方法。
【請求項３】
請求項１において、
プリチャージ期間において、電荷を充電するために並列に接続された前記ｍ個の容量に入力される信号は、２n-m本の階調電圧線を有するセレクタ回路により生成され、
前記２n-m本の階調電圧線には、それぞれ、互いに異なる電圧が入力されることを特徴とするＤ／Ａ変換方法。
【請求項４】
請求項１乃至３のいずれか１項において、
前記ｍ個の容量はそれぞれ容量値がＣ、２Ｃ、２2Ｃ、・・・、２m-1Ｃで表されることを特徴とするＤ／Ａ変換方法。
【請求項５】
ｎビットのデジタル信号（ｎは自然数）をアナログ信号に変換するＤ／Ａ変換回路であって、
第１電極と第２電極を有するｍ個（ｍはｎより小さい自然数）の容量と、
第１端子と第２端子を有する２n-m個の抵抗と、
２n-m個の第１スイッチと、
ｍ個の第２スイッチと、
１つの第３のスイッチと、
アナログ信号が出力される出力線と、
を有し、
前記ｍ個の容量の第１電極は、それぞれ、互いに異なる前記第２スイッチを介して、第１の電源又は第２の電源のいずれか一方に選択的に接続され、
前記ｍ個の容量の第２電極は、それぞれ、前記第３のスイッチの一方の端子、及び前記出力線に接続され、
前記２n-m個の抵抗は、前記第１端子が他の抵抗の前記第２端子に接続されることで、直列に接続され、
前記２n-m個の抵抗のうち、前記第１端子が他の抵抗の前記第２端子に接続されていない抵抗は、前記第１端子が第３の電源に接続され、
前記２n-m個の抵抗のうち、前記第２端子が他の抵抗の前記第１端子に接続されていない抵抗は、前記第２端子が第４の電源に接続され、
前記２n-m個の抵抗の第２端子は、それぞれ、互いに異なる前記第１スイッチの一方の端子に接続され、
前記２n-m個の第１スイッチの他方の端子は、それぞれ、前記第３のスイッチの他方の端子に接続されていることを特徴とするＤ／Ａ変換回路。
【請求項６】
ｎビットのデジタル信号（ｎは自然数）をアナログ信号に変換するＤ／Ａ変換回路であって、
第１電極と第２電極を有するｍ個（ｍはｎより小さい自然数）の容量と、
第１端子と第２端子を有する２n-m個の抵抗と、
２n-m個の第１スイッチと、
ｍ個の第２スイッチと、
１つの第３のスイッチと、
アナログ信号が出力される出力線と、
を有し、
前記ｍ個の容量の第１電極は、それぞれ、互いに異なる前記第２スイッチを介して、第１の電源又は第２の電源のいずれか一方に選択的に接続され、
前記ｍ個の容量の第２電極は、それぞれ、前記第３のスイッチの一方の端子、及び前記出力線に接続され、
前記２n-m個の抵抗は、前記第１端子が他の抵抗の前記第２端子に接続されることで、直列に接続され、
前記２n-m個の抵抗のうち、前記第１端子が他の抵抗の前記第２端子に接続されていない抵抗は、前記第１端子が第３の電源に接続され、
前記２n-m個の抵抗のうち、前記第２端子が他の抵抗の前記第１端子に接続されていない抵抗は、前記第２端子が第４の電源に接続され、
前記２n-m個の抵抗の第２端子は、それぞれ、互いに異なる前記第１スイッチの一方の端子に接続され、
前記２n-m個の第１スイッチの他方の端子は、それぞれ、前記第３のスイッチの他方の端子に接続され、
プリチャージ期間において、ｎビットのデジタル信号のうち上位ｎ−ｍビットのデジタル信号によって、前記２n-m個の第１スイッチのいずれか１つがオンになり、前記ｍ個の第２のスイッチにより、前記ｍ個の容量の第１電極は全て前記第１の電源に接続され、前記第３のスイッチがオンになり、
書き込み期間において、ｎビットのデジタル信号のうち下位ｍビットのデジタル信号によって、前記ｍ個の第２スイッチが制御され、前記ｍ個の容量の第１電極は、それぞれ、前記第１の電源又は前記第２の電源のいずれか一方に接続され、前記第３のスイッチがオフになり、
前記ｍ個の容量の第２電極における電圧がアナログ信号として前記出力線から出力されることを特徴とするＤ／Ａ変換回路。
【請求項７】
請求項５又は６において、
前記２n-m個の抵抗の抵抗値は同じであることを特徴とするＤ／Ａ変換回路。
【請求項８】
請求項５乃至７のいずれか１項において、
前記ｍ個の容量は、それぞれ、容量値がＣ、２Ｃ、２2Ｃ、…、２m-1Ｃで表されることを特徴とするＤ／Ａ変換回路。
【請求項９】
請求項５又は６において、
前記２n-m個の抵抗の抵抗値は同じであり、
前記ｍ個の容量は、それぞれ、容量値がＣ、２Ｃ、２2Ｃ、…、２m-1Ｃであり、
前記第１の電源の電圧をＶC、前記第２の電源の電圧をＶD、前記第３の電源の電圧をＶA、前記第４の電源の電圧をＶB、前記出力線の容量をＣWとすると、以下の式１が満たされていることを特徴とするＤ／Ａ変換回路。
【式１】
2002359559.tif 000001
【請求項１０】
ｎビットのデジタル信号（ｎは自然数）をアナログ信号に変換するＤ／Ａ変換回路であって、
第１電極と第２電極を有するｍ個（ｍはｎより小さい自然数）の容量と、
互いに電圧の値が異なる２n-m本の階調電圧線と、
２n-m個の第１スイッチと、
ｍ個の第２スイッチと、
１つの第３のスイッチと、
アナログ信号が出力される出力線と、
を有し、
前記ｍ個の容量の記第１電極は、それぞれ、互いに異なる前記第２スイッチを介して、第１の電源と第２の電源のいずれか一方に接続され、
前記２n-m本の階調電圧線は、それぞれ、互いに異なる前記第１スイッチを介して、前記第３のスイッチの他方の端子に接続されることを特徴とするＤ／Ａ変換回路。
【請求項１１】
ｎビットのデジタル信号（ｎは自然数）をアナログ信号に変換するＤ／Ａ変換回路であって、
第１電極と第２電極を有するｍ個（ｍはｎより小さい自然数）の容量と、
互いに電圧の値が異なる２n-m本の階調電圧線と、
２n-m個の第１スイッチと、
ｍ個の第２スイッチと、
１つの第３のスイッチと、
アナログ信号が出力される出力線と、
を有し、
前記ｍ個の容量の記第１電極は、それぞれ、互いに異なる前記第２スイッチを介して、第１の電源と第２の電源のいずれか一方に接続され、
前記ｍ個の容量の第２電極は、それぞれ、前記第３のスイッチの一方の端子、及び前記出力線に接続され、
前記２n-m本の階調電圧線は、それぞれ、互いに異なる前記第１スイッチを介して、前記第３のスイッチの他方の端子に接続され、
プリチャージ期間において、ｎビットのデジタル信号のうち、上位ｎ−ｍビットのデジタル信号によって２n-m個の第１スイッチのいずれか１つがオンになり、前記ｍ個の容量の第１電極は全て前記第１の電源に接続され、前記第３のスイッチがオンになり、
書き込み期間において、ｎビットのデジタル信号のうち、下位ｍビットのデジタル信号によって前記ｍ個の第２スイッチが制御され、前記ｍ個の容量の第１電極は、それぞれ、前記第１の電源と第２の電源のいずれか一方に接続され、前記第３のスイッチがオフにな前記ｍ個の容量が有する第２電極における電圧がアナログ信号として前記出力線から出力されることを特徴とするＤ／Ａ変換回路。
【請求項１２】
請求項１０又は１１において、
ＶA、ＶBは一定の電圧を表し、
前記２n-m本の階調電圧線の電圧は、それぞれ、ＶB＋（ＶA−ＶB）／２n-m、ＶB＋２（ＶA−ＶB）／２n-m、・・・、ＶB＋（２n-m−１）（ＶA−ＶB）／２n-m、ＶBに保たれていることを特徴とするＤ／Ａ変換回路。
【請求項１３】
請求項１０又は１１において、
ＶA、ＶBは一定の電圧を表し、
前記２n-m本の階調電圧線の電圧は、それぞれ、ＶA＋（ＶB−ＶA）／２n-m、ＶA＋２（ＶB−ＶA）／２n-m、・・・、ＶA＋（２n-m−１）（ＶB−ＶA）／２n-m、ＶAに保たれていることを特徴とするＤ／Ａ変換回路。
【請求項１４】
請求項１０乃至１３のいずれか１項において、
前記ｍ個の容量は、それぞれ、その容量値がそれぞれＣ、２Ｃ、２2Ｃ、・・・、２m-1Ｃで表されることを特徴とするＤ／Ａ変換回路。
【請求項１５】
請求項１２又は１３において、
前記ｍ個の容量は、それぞれ、容量値がＣ、２Ｃ、２2Ｃ、・・・、２m-1Ｃで表され、
前記第１の電源の電圧をＶC、前記第２の電源の電圧をＶD、前記出力線によって形成される容量をＣWとすると、以下の式１が満たされていることを特徴とするＤ／Ａ変換回路。
【式１】
2002359559.tif 000002
【請求項１６】
請求項５乃至１５のいずれか１項に記載のＤ／Ａ変換回路を有する半導体装置。
【請求項１７】
請求項５乃至１５のいずれか１項に記載のＤ／Ａ変換回路を用いた表示装置。
【請求項１８】
請求項５乃至１５のいずれか１項に記載のＤ／Ａ変換回路が表示部又は制御回路に用いられた電子機器。
【請求項１９】
請求項１８に記載の電子機器は、ビデオカメラ、デジタルカメラ、ゴーグル型ディスプレイ、ナビゲーションシステム、音響再生装置、ノート型パーソナルコンピュータ、ゲーム機器、携帯情報端末、画像再生装置のいずれかの機器である。